(57)【要約】インプラント内および／または上に位置決めする構造体であって、該構造は、当接ポスト（２）、および、この当接ポスト（２）に連結されることができる円錐形キャップ（４、４’）を含み、前記当接ポスト（２）は、円錐形に延びる部分（５）を有し、この円錐形に延びる部分（５）の円錐形に延びる外側面（６）は、円錐形キャップ（４、４’）がこの円錐形に延びる部分（５）上に配置されることができ、且つ少なくともいくつかの領域においてこの円錐形に延びる部分（５）を受け入れるように円錐形キャップ（４、４’）の円錐形に延びる凹部（８）の円錐形に延びる内側面（７）と相補的であるように構成されている構造体において、前記円錐形キャップ（４、４’）の前記内側面（７）および前記当接ポスト（２）の前記外側面（６）は、前記円錐形キャップ（４、４’）が、耐引張的および／または捕獲的および／または噛むのに安全な仕方で前記内側面（７）と前記外側面（６）との摩擦係止によって前記当接ポスト（２）に連結されることができるように互いに対して傾斜しており、前記円錐形に延びる部分（５）のコニシティは、前記凹部（８）のコニシティと異なっている、ことを特徴とする構造体。工具（２４）が、当接ポスト（２）上に円錐形キャップ（４、４’）を固定することを可能にする。セットが、前記工具（２４）、並びに、前記構造体、および／または、当接ポストおよび／または円錐形キャップを含む。【選択図】図３
2019535452.tif 000002
【特許請求の範囲】
【請求項１】
インプラント内および／または上に位置決めする構造体であって、該構造体は、当接ポスト（２）、および、この当接ポスト（２）に連結されることができる円錐形キャップ（４、４’）を含み、前記当接ポスト（２）は、円錐形に延びる部分（５）を有し、この円錐形に延びる部分（５）の円錐形に延びる外側面（６）は、円錐形キャップ（４、４’）がこの円錐形に延びる部分（５）上に配置されることができ、且つ少なくともいくつかの領域においてこの円錐形に延びる部分（５）を受け入れるように円錐形キャップ（４、４’）の円錐形に延びる凹部（８）の円錐形に延びる内側面（７）と相補的であるように構成されている構造体において、
前記円錐形キャップ（４、４’）の前記内側面（７）および前記当接ポスト（２）の前記外側面（６）は、前記円錐形キャップ（４、４’）が、耐引張的且つ／または捕獲的且つ／または噛むのに安全な仕方で前記内側面（７）と前記外側面（６）との摩擦係止によって前記当接ポスト（２）に連結されることができるように互いに対して傾斜しており、前記円錐形に延びる部分（５）のコニシティは、前記凹部（８）のコニシティと異なっている、ことを特徴とする構造体。
【請求項２】
前記円錐形キャップ（４、４’）は、専ら摩擦係止によって耐引張的且つ／または捕獲的且つ／または噛むのに安全な仕方で前記当接ポスト（２）に連結されており、接着ボンドおよび／または形状嵌合によって耐引張的な仕方で前記円錐形キャップ（４、４’）を前記当接ポスト（２）に連結する手段は設けられていない、ことを特徴とする請求項１に記載の構造。
【請求項３】
前記円錐形に延びる外側面（６）は、そのコニシティの対称軸線（２１）と１°から８°の範囲の、好ましくは２°から７°の範囲の、特に好ましくは４°から６°の範囲の第１の傾斜角度を包囲し、前記円錐形に延びる内側面（７）は、そのコニシティの対称軸線（２２）と１°から８°の範囲の、好ましくは２°から７°の範囲の、特に好ましくは４°から６°の範囲の第２の傾斜角度を包囲し、前記第１の傾斜角度は、前記第２の傾斜角度よりも大きいか、或いは小さい、ことを特徴とする請求項１または２に記載の構造体。
【請求項４】
前記第１の傾斜角度は、５．８°である、ことを特徴とする請求項３に記載の構造体。
【請求項５】
前記摩擦係止は、前記円錐形キャップ（４、４’）の開口部（９）に面する前記円錐形キャップの下側領域に生じる、ことを特徴とする請求項１〜４のいずれか１項に記載の構造体。
【請求項６】
前記当接ポスト（２）と前記円錐形キャップ（４、４’）との前記摩擦係止は、２Ｎから８０Ｎの範囲、好ましくは２０Ｎから８０Ｎの範囲、特に好ましくは２０Ｎから４０Ｎの範囲にある張力によって解放されることができる、ことを特徴とする請求項１〜５のいずれか１項に記載の構造体。
【請求項７】
前記当接ポスト（２）と前記円錐形キャップ（４、４’）との前記摩擦係止は、３０Ｎの量の張力によって解放されることができる、ことを特徴とする請求項１〜６のいずれか１項に記載の構造体。
【請求項８】
第１の横方向力係止装置（１０）が前記当接ポスト（２）上に設けられており、第２の横方向力係止装置（１１）が前記円錐形キャップ（４、４’）内および／または上に設けられている、ことを特徴とする請求項１〜７のいずれか１項に記載の構造体。
【請求項９】
前記第１の横方向力係止装置（１０）は、自由な上端を備えた円筒形部分または円筒形コネクタとして構成されている、ことを特徴とする請求項８に記載の構造体。
【請求項１０】
前記第２の横方向力係止装置（１１）は、閉じられた上端を備えた円筒形部分または円筒形コネクタとして構成されている、ことを特徴とする請求項８または９に記載の構造体。
【請求項１１】
第１のねじり防止装置（１２）が前記当接ポスト（２）上に設けられており、第２のねじり防止装置（１３）が前記円錐形キャップ（４、４’）内および／または上に設けられている、ことを特徴とする請求項１〜１０のいずれか１項に記載の構造体。
【請求項１２】
前記第１のねじり防止装置（１２）は、少なくとも部分的に、多面形または多角形プリズムとして構成されている、ことを特徴とする請求項１１に記載の構造体。
【請求項１３】
前記第２のねじり防止装置（１３）は、多面形または多角形キャビティとして構成されている、ことを特徴とする請求項１１または１２に記載の構造体。
【請求項１４】
前記円錐形キャップ（４、４’）は、該円錐形キャップ（４、４’）上の先端部から突出する中実ピン（１４）を有する、ことを特徴とする請求項１〜１３のいずれか１項に記載の構造体。
【請求項１５】
前記円錐形キャップ（４、４’）は、１つだけの、すなわち、前記当接ポスト（２）を受け入れるための開口部（９）を有し、該円錐形キャップ（４、４’）は、雄ねじ（１６）を有する、ことを特徴とする請求項１〜１４のいずれか１項に記載の構造体。
【請求項１６】
前記円錐形キャップ（４、４’）と前記当接ポスト（２）との間には軸線方向にストップ（２３）が形成されている、且つ／または間隙（Ｌ）が形成されていない、ことを特徴とする請求項１〜１５に記載の構造体。
【請求項１７】
請求項１〜１６のいずれか１項に記載された構造体と共に使用されるストップ（２３）を備えた当接ポスト（２ａ-ｄ）またはストップを備えた円錐形キャップ。
【請求項１８】
当接ポスト（２）に円錐形キャップ（４、４’）を取り付けるための工具（２４）であって、該工具は、この工具を保持するためのハンドル（２５）、および、前記円錐形キャップ（４、４’）に力または刺激を印加するための装置（２６）を含む工具において、前記装置（２６）は、前記円錐形キャップ（４、４’）および前記当接ポスト（２）が、耐引張的且つ／または捕獲的且つ／または噛むのに安全な仕方で互いに連結されるように、前記円錐形キャップ（４、４’）と前記当接ポスト（２）との摩擦係止を生成するために前記円錐形キャップ（４、４’）に当接するための平らなまたは丸い衝撃面（３９）を含む、ことを特徴とする工具。
【請求項１９】
前記衝撃面（３９）は、前記円錐形キャップ（４、４’）の方向に向かないように構成されている、ことを特徴とする請求項１８に記載の工具。
【請求項２０】
前記衝撃面（３９）は、前記装置（２６）の衝撃要素（２７）に割り当てられており、前記衝撃要素（２７）は、少なくとも１つのばね（３２、３３）に初期的に張力を付与し、さらに移動させることによって該ばね（３２、３３）を再び解放するためにハウジング（２９）および／またはハンドル（２５）に対して移動可能である、ことを特徴とする請求項１８または１９に記載の工具。
【請求項２１】
前記衝撃要素（２７）の移動中に第１のばね（３２）の力に初期的に抗してハンマー（２８）を移動させるために、前記装置（２６）の長手方向軸線（３１）、および／または、ばね負荷されたハンマー（２８）の移動方向、および／または、衝撃要素（２７）に対して傾動可能な揺れ動き要素（３０）が設けられている、ことを特徴とする請求項２０に記載の工具。
【請求項２２】
長手方向軸線（３１）および／または移動方向と平行に整合するときに、前記揺れ動き要素（３０）は前記ハンマー（２８）の凹部（４０）に侵入し、それによって、前記第１のばね（３２）が前記衝撃面（３９）の方向に前記ハンマー（２８）を移動させるように前記第１のばねを解放する、ことを特徴とする請求項２１に記載の工具。
【請求項２３】
前記第１のばね（３２）は、前記ハンドル（２５）または前記ハウジング（２９）と、前記ハンマー（２８）との間に設けられており、且つ、前記揺れ動き要素（３０）のばね負荷のために第２のばね（３３）が設けられている、ことを特徴とする請求項２２に記載の工具。
【請求項２４】
請求項１〜１６のいずれか１項に記載の構造体、および／または、請求項１７に記載の当接ポスト（２ａ-ｄ）および／または円錐形キャップ、並びに請求項１８〜２３のいずれか１項に記載の工具（２４）を含むセット
【発明の詳細な説明】
【技術分野】
【０００１】
本願は、請求項１の前提部分による構造体、および、請求項１８の前提部分による工具に関する。
【背景技術】
【０００２】
インプラントに位置決めするための構造体が、EP1086662Biから既に知られている。インプラントは、患者の顎骨に固定されるのに適している歯インプラントを備える。
【０００３】
知られている構造体は、当接ポスト、および、この当接ポストに連結されることができる円錐形キャップを含む
【０００４】
当接ポストは、円錐形に延びる部分を有し、この円錐形に延びる部分の円錐形に延びる外側面は、円錐形キャップがこの円錐形に延びる部分上に配置されることができ、且つ少なくともいくつかの領域においてこの円錐形に延びる部分を受け入れるように円錐形キャップの円錐形に延びる凹部の円錐形に延びる内側面と相補的であるように構成されている。
【０００５】
従来技術の円錐形キャップは、義歯に受け入れられ、自己硬化プラスチックによって義歯内に固定される。次いで、円錐形キャップは、義歯と一緒に当接キャップ上に配置される。
【０００６】
自己硬化プラスチックを使用し、加工しなければならないことは不利である。円錐形キャップが最終状態で当接ポスト上に正しく着座するように円錐形キャップを固定するために適当な仕方で義歯にプラスチックを充填しなければならないことも不利ある。プラスチックは、時間がかかる仕方で義歯の側から内部に充填されなければならない。
【０００７】
すべてのこれらのステップは、特に噛む間に、円錐形キャップの問題のない装填を確保するために必要である。
【発明の概要】
【発明が解決しようとする課題】
【０００８】
したがって、本発明の目的は、なるべく少ない作業ステップで当接ポスト上の正しい位置に円錐形キャップを位置決めし、なるべく永久的に且つ装填可能にこの当接ポストに円錐形キャップを連結することである。
【課題を解決するための手段】
【０００９】
本発明は、請求項１の特徴によって前記の目的を解決する。
【００１０】
本発明によれば、円錐形キャップの内側面および当接ポストの外側面は、円錐形キャップが、耐引張的且つ／または捕獲的且つ／または噛むのに安全な仕方で前記内側面と前記外側面との摩擦係止によって当接ポストに連結されることができるように互いに対して傾斜していることが同定された。
【００１１】
特に、円錐形に延びる部分のコニシティは、凹部のコニシティと異なっていなければならないことが同定された。コニシティは、円錐形に延びる構造の場合には径の、或いは、円錐体の場合には円錐体またはコニシティの対称軸線の方向の変化として理解される。
【００１２】
驚くべきことに、円錐形キャップが当接ポスト上に大変しっかりと、特に耐引張的仕方で着座するように円錐形キャップを当接ポストに連結するには、摩擦係止で十分であることがわかった。
【００１３】
特に驚くべきことに、構造体は、切歯および臼歯を置換するときに使用されることができる。さらに、構造体は、構造体を直ちに装填する必要がある治療で、また、構造体の遅延された装填を可能にする治療で使用されることができる。
【００１４】
円錐形キャップは、専ら摩擦係止によって耐引張的且つ／または捕獲的および／または噛むのに安全な仕方で当接ポストに連結されることができ、接着ボンドお且つ／または形状嵌合によって耐引張的な仕方で円錐形キャップを当接ポストに連結する手段は設けられていない。この手段によって、円錐形キャップと当接ポストとの間に連結部を作ることができるねじおよび／または接着剤なしに完全に済ますことができる。かくして、プラスチックまたはねじを加工するための時間および作業ステップを省くことができる。
【００１５】
円錐形に延びる外側面は、そのコニシティの対称軸線と１°から８°の範囲の、好ましくは２°から７°の範囲の、特に好ましくは４°から６°の範囲の第１の傾斜角度を包囲し、円錐形に延びる内側面は、そのコニシティの対称軸線と１°から８°の範囲の、好ましくは２°から７°の範囲の、特に好ましくは４°から６°の範囲の第２の傾斜角度を包囲し、前記第１の傾斜角度は、前記第２の傾斜角度よりも大きいか、或いは小さい。これらの範囲は、しっかりとした摩擦係止部を作るのに特に適していることがわかった。
【００１６】
これを背景にして、前記第１の傾斜角度は、５．８°であるのがよい。この値は、円錐形キャップと当接ポストとの連結部の高い引張強さを生じさせる。さらに、この傾斜角度の選択により、円錐形キャップは、パルス作用の結果として当接ポスト上に特に良好に衝突または押圧することができる。
【００１７】
前記摩擦係止は、円錐形キャップの開口部に面する円錐形キャップの下側領域に生じるのがよい。この手段によって、円錐キャップの上側領域に正しく且つ永久的な着座部を確保する手段が設けられる。
【００１８】
これを背景にして、当接ポストと円錐形キャップとの前記摩擦係止は、２Ｎから８０Ｎの範囲、好ましくは２０Ｎから８０Ｎの範囲、特に好ましくは２０Ｎから４０Ｎの範囲にある張力によって解放されることができる。これらの範囲は、噛みの安全性を生成するのに特に適している。
【００１９】
張力の印加中、当接ポストはしっかりと保持され、円錐形キャップは、張力により円錐形キャップを引っ張ることによって当接ポストに対して移動される。
【００２０】
当接ポストと円錐形キャップとの前記摩擦係止は、３０Ｎの量の張力によって解放されることができる。この張力は、口内の高い張力、例えばキャラメル菓子を噛むときの張力に通常耐えるのに十分高い。さらに、円錐形キャップは、患者のために十分しっかりと固定されているが、医師または訓練された人によって再び解放されることができる。
【００２１】
第１の横方向力係止装置が当接ポスト上に設けられており、第２の横方向力係止装置が円錐形キャップ内および／または上に設けられている。この手段によって、横方向力または曲げモーメントが当接ポスト上に配置された円錐形キャップに作用するときに、当接ポストおよび／または円筒形キャップの長手方向軸線に対する円筒形キャップの傾動が防止される。かかる力または曲げモーメントは、患者の舌によって印加される。
【００２２】
第１の横方向力係止装置は、自由な上端を備えた円筒形部分または円筒形コネクタとして構成されているのがよい。円筒形部分は、作るのが比較的容易であり、傾動に抗して十分に良好な安定性を提供する。
【００２３】
第２の横方向力係止装置は、閉じられた上端を備えた円筒形部分または円筒形コネクタとして構成されているのがよい。この手段によって、第１の横方向力係止装置を受け入れることができる。これに関して、第１の横方向力係止装置は、第１の横方向係止装置と相補的であるように構成されている。
【００２４】
第１のねじり防止装置が当接ポスト上に設けられているのがよく、第２のねじり防止装置が円錐形キャップ内および／または上に設けられているのがよい。これは、当接ポストに対するキャップのねじりまたは回転を回避する。
【００２５】
第１のねじり防止装置は、少なくとも部分的に、多面形または多角形プリズムとして構成されている。プリズムは、傾斜していない面を有し、かくして、傾動モーメントに抗する安定化により横方向力係止装置を支持する。プリズムは更に、当接ポストに対する円錐形キャップのねじりを防止する。
【００２６】
第２のねじり防止構造は、多面形または多角形キャビティとして構成されているのがよい。その結果、第１のねじり防止装置を受け入れることができる。これに関して、第２のねじり防止装置は、第１のねじり防止装置と相補的であるように構成されている。
【００２７】
円錐形キャップは、該円錐形キャップ上の先端部から突出する中実ピンを有するのがよい。この手段によって、構造体は、例えば溶接ワイヤによって他の構造体に連結されることができる。この手段によって、いくつかの円錐形キャップが、それらの当接ポストに対してそれらの位置で安定化されることができる。
【００２８】
円錐形キャップは、１つだけの、すなわち、当接ポストを受け入れるための開口部を有するのがよい。これは、不純物が円錐形キャップと当接ポストとの間に入ることを回避する。これは、開口部が、ねじのために、或いはプラスチックの充填のために設けられる場合に起こり得る。
【００２９】
円錐形キャップは、雄ねじ、外翻部、あるいはその他の嵩上げ構造を有するのがよい。これにより、円筒形キャップに上部構造(suprastructures)を連結することができる。特に、円錐形キャップに義歯を接着することが実行可能である。
【００３０】
円錐形キャップと当接ポストとの間には軸線方向にストップが形成されている、且つ／または間隙が形成されていないのがよい。ストップの結果として、円錐形キャップは、ストップと円錐形キャップとの間に遠位方向に間隙が残ることなく、当接ポストの遠位端に当接するようになる。特に、ストップは、円錐形キャップが当接ポスト上に過度にでなく所定の仕方でしっかりと押圧される。したがって、円錐形キャップは、必要なときに、歯科医によって再び解放されることができる。
【００３１】
ストップを備えた当接ポストまたはストップを備えた円錐形キャップを、本願に記載されている型式の構造体に使用することができる。ストップは、当接ポストに割り当てられるか、或いは、当接ポストと一部品で形成されるのがよい。ストップは、円錐形キャップ内に配置されるか、或いは、円錐形キャップと一部品で形成されるのがよい。
【００３２】
これに関して、ストップを備えた円錐形キャップは、適切な対応部品に再び取り外し可能に連結されるために個別の部品として設けられるのがよい。さらに、ストップを備えた当接ポストは、適切な対応部品に再び取り外し可能に連結されるために個別の部品として設けられるのがよい。
【００３３】
最初に言及した目的はまた、当接ポストに円錐形キャップを取り付けるための工具であって、該工具は、この工具を保持するためのハンドル、および、円錐形キャップに力または刺激を印加するための装置を含む工具によって解決される。
【００３４】
前記装置は、円錐形キャップおよび当接ポストが、耐引張的および／または捕獲的および／または噛むのに安全な仕方で互いに連結されるように、円錐形キャップと当接ポストとの摩擦係止を生成するために円錐形キャップに当接するための平らなまたは丸い衝撃面を含む。
【００３５】
衝撃面、並びに、作用する力および刺激は、円錐形キャップが当接ポストに再び取り外し可能に連結されるように構成されている。
【００３６】
衝撃面は、円錐形キャップの方向に向かないように構成されているのがよい。これは、円錐形キャップへの損傷を回避する。さらに、円錐形キャップは、大きな領域に亘って力または刺激に露出されている。
【００３７】
衝撃面は、前記装置の衝撃要素に割り当てられているのがよく、衝撃要素は、少なくとも１つのばねに初期的に張力を付与し、さらに移動させることによって該ばねを再び解放するためにハウジングおよび／またはハンドルに対して移動可能である。かくして、衝撃面または衝撃要素は、円錐形キャップ上に簡単に配置され、初期的にばねに張力を付与し、次いでばねを再び解放すべく円錐形キャップに当てて押圧される。
【００３８】
手で操作しなければならない更に別の始動機構は必要ではなく、好ましくは設けられていない。
【００３９】
衝撃要素の移動中に第１のばねの力に初期的に抗してハンマーを移動させるために、前記装置の長手方向軸線、および／または、ばね負荷されたハンマーおよび／または衝撃要素の移動方向、に対して傾動可能な揺れ動き要素(nutating element)が設けられているのがよい。
【００４０】
長手方向軸線および／または移動方向と平行に整合するときに、揺れ動き要素はハンマーの凹部に侵入し、それによって、第１のばねが衝撃面の方向にハンマーを移動させるように第１のばねを解放するのがよい。
【００４１】
第１のばねは、ハンドルまたはハウジングと、ハンマーとの間に設けられているのがよい。揺れ動き要素のばね負荷のために第２のばねが設けられているのがよい。
【００４２】
セットが、本願に記載されている型式の構造体、および、本願に記載されている型式の工具を含むのがよい。工具に加えて、セットはまた、構造体に加えてまたは構造体に代替して、ストップを備えた少なくとも１つの隔絶された当接ポスト、および／または、追加的にストップを備えた隔絶された円錐形キャップを含む。かくして、歯科医またはもう１人の人は、所定の且つ医学的に適切な仕方で、ここに記載されている円錐形キャップをここに記載されている当接ポストと連結することができる。必要ならば、当接ポストからの円筒形キャップの医学的に適切な解放が確実にされる。
【図面の簡単な説明】
【００４３】
【図１】本願に記載されている型式の１つの当接ポストに各々が連結されるインプラントを示す。
【図２】インプラントから突出し、円錐形キャップに連結されることができる本願に記載された当接ポストの上側部分の部分斜視図を示す。
【図３】本願に記載されている型式の当接ポスト、および、本願に記載されている型式の円錐形キャップを含み、当接ポストの上側部分だけが概略的に示されている構造体の概略断面図である。
【図４】本願に記載されている型式の当接ポスト、および、本願に記載されている型式の円錐形キャップを含み、円錐形キャップが、溶接ワイヤに溶接されるために当接ポストの長手方向軸線の方向に円錐形キャップの先端部から自由端を備えて突出する中実ピンを有する構造の概略断面図である。
【図５】分離されたインプラントであって、本願に記載されている型式の構造体が固定されることができ、構造体が単一の歯に連結されることができ、歯が、顎に移植されたインプラントの当接ポスト上に摩擦係止だけで固定されている円錐形キャップに連結されることができる隔絶されたインプラントの概略図を示す。
【図６】本願に記載されている構造体を形成するために異なる当接ポスト上に配置されることができる種々の円錐形キャップであって、種々の可能な組み合わせが概略的に示されている種々の円錐形キャップの概略図を示す。
【図７】種々の円錐形キャップを示す。
【図８】左側に種々の当接ポスト、および、右側に１つの当接工具を示す。
【図９】当接ポストに円錐形キャップを取り付けるための工具の全体図を示す。
【図１０】工具の設計構造がわかる図９による工具の断面図を示す。
【発明を実施するための形態】
【００４４】
図１は、各々が本願に記載されている型式の当接ポスト２に連結される３つのインプラント１、および、３つの義歯３を示している。歯３は、インプラントが顎に固定されるときに３つのインプラント１に連結されるように設けられている。
【００４５】
示されているインプラント１は、頂端の方に向かう雄ねじを有する。しかしながら、本願に示されているインプラントとは異なる他の型式のインプラントも、当接ポスト２に連結されるために使用されることもできる。歯３は、インプラント１に矢印の方向に配置される。
【００４６】
ブリッジとして役立ち、インプラント１とそれらの付属構成要素の相対位置を互いに安定化させる３つの連結された歯３が、ここに示されている。これは、歯３が、いくつかの箇所で顎骨に連結され、したがって、ほとんど移動の自由を有さないことと関連している。
【００４７】
しかしながら、他のインプラント１への更なる人工的な連結手段なしに単一の歯を支持すべきだけの自立インプラント１を移植し、本願に記載されている型式の構造体と組み合わさることは特に実行可能である。
【００４８】
図２は、本願に記載されている当接ポスト２であって、インプラント１の内部から突出し、図３〜図５による円錐形キャップ４に連結されるべき当接ポスト２の部分の部分斜視図を示す。
【００４９】
図３は、図示されていないインプラントに位置決めするための構造体を概略断面図で示している。図示されていないインプラントに連結される当接ポスト２の下側部分は、同様に図示されておらず、インプラントに連結されるように多くの観点で構成されることができる。当接ポスト２は、例えば、角度付けされて構成されることもできる。
【００５０】
構造体は、当接ポスト２、および、この当接ポスト２に連結されることができ、または、連結されている円錐形キャップ４を含む。当接ポスト２は、円錐形に延びる部分５を有し、この円錐形に延びる部分５の円錐形に延びる外側面６は、円錐形キャップ４がこの円錐形に延びる部分５上に配置されることができ、且つ少なくともいくつかの領域においてこの円錐形に延びる部分５を受け入れるように円錐形キャップ４の円錐形に延びる凹部８の円錐形に延びる内側面７と相補的であるように構成されている
【００５１】
部分５は、截頭円錐体として構成されている。凹部８は、截頭円錐体として構成されているキャビティを有する。
【００５２】
円錐形キャップ４の内側面５および当接ポスト２の外側面６は、円錐形キャップ４が、耐引張的且つ捕獲的且つ噛むのに安全な仕方で内側面７と外側面６との摩擦係止によって当接ポスト２に連結されることができるように互いに対して傾斜している。
【００５３】
部分５のコニシティは、凹部８のコニシティと異なっている。コニシティは、円錐体の対称軸線２１、２２に沿った円錐体の径の変化の測定値として理解される。
【００５４】
円錐形キャップ４は、専ら摩擦係止によって耐引張的且つ捕獲的且つ噛むのに安全な仕方で当接ポスト２に連結され、接着ボンドおよび／または形状嵌合によって耐引張的な仕方で前記円錐形キャップ４を当接ポスト２に連結する手段は設けられていない。特に、セメントは設けられておらず、ねじは設けられていない。
【００５５】
円錐形に延びる外側面６は、その対称軸線２１と５．８°の量の第１の傾斜角度を包囲している。円錐形にテーパしている内側面７は、その対称軸線２２と第２の傾斜角度を包囲しており、第２の傾斜角度は、第１の傾斜角度よりも大きい。
【００５６】
図３および図４では、外側面６のコニシティの対称軸線２１は、例として示されている。対称軸線２１と外側面６によって包囲されている第１の傾斜角度が示されている。明りょう化のために、わずかにだけより大きい第２の傾斜角度は、示されていない。
【００５７】
第２の傾斜角度は、第１の傾斜角度よりも約０．５°大きい。内側面７のコニシティの対称軸線２２は、キャップ４、４’が当接ポスト２上に意図するように配置されるときにその他の対称軸線２１と一致する。
【００５８】
摩擦係止は、円錐形キャップ４の開口部９に面する円錐形キャップ４、４’の下側部分で生じる。摩擦係止は、面接触によって生じる。当接ポスト２と円錐形キャップ４、４’との摩擦係止は、測定値３０Ｎの張力によって解放される。
【００５９】
第１の横方向力係止装置１０が当接ポスト２上に設けられており、第２の横方向力係止装置１１が円錐形キャップ４、４’に設けられている。
【００６０】
第１の横方向力係止装置１０は、自由な上端を備えた円形円筒形コネクタとして構成されている。コネクタは、台、特に多面形または多角形プリズムの上側ベース領域２０上に載置している。ベース領域２０は、図２に示されている。
【００６１】
第２の横方向力係止装置１１は、閉じられた上端を備えた円形円錐形キャビティとして構成されている。組み立てられた状態では、円筒形キャビティの内側壁は、コネクタのシェル面、特に横方向外側面上に支持されることができる。コネクタおよびキャビティは、同軸に配置される。これによって、円筒形キャップ４、４’の傾動が防止される。
【００６２】
第１のねじり防止装置１２が当接ポスト２上に設けられており、第２のよじり防止装置１３が円錐形キャップ４、４’上に設けられている。
【００６３】
図２は、第１のねじり防止装置１２が多面形または多角形プリズムとして構成されていることを示している。プリズムは、截頭円錐体として構成されている部分５の上側ベース領域１７上に載置している。
【００６４】
プリズムは、６つの縁と６つの側面１８、１９を有する。３つの等しく大きい長い方の側面１８および３つの大きい短い方の側面１９が各々設けられている。
【００６５】
異なる数の側面を設けることもでき、それらの異なる数の側面は、それらの形状寸法が異なっていても、或いは同じでもよい。例えば、六角形を形成することが考えられる。
【００６６】
プリズムの周に沿って長い方の側面１８の次に短い方の側面１９が設けられている。側面１８、１９は、周にそって交互に配置されている。
【００６７】
第２のねじり防止装置１３は、多面形または多角形プリズム形キャビティとして構成されている。組み立てられた状態では、多面形または多角形キャビティの内側壁は、プリズムのシェル面、特に側面１８、１９に当接することができる。これによって、円錐形キャップ４が、当接ポスト２に対してねじれることが防止される。
【００６８】
図４は、円錐形キャップ４，４’が、その先端部上に中実ピン１４を有していることを示している。このピン１４は、いくつかの円錐形キャップ４’が溶接ワイヤによって互いに溶接されるべき場合に溶接ワイヤにより接合されることができる。
【００６９】
円錐形キャップ４、４’は、１つだけの、すなわち、特に当接ポスト２を受け入れるための開口部９を有している。
【００７０】
さらに、円錐形キャップ４、４’は、雄ねじ１６を有する。その結果、構造物が円錐形キャップ４、４’上に配置されることができる。
【００７１】
円錐形キャップ４、４’はまた、開口部９に境界接触するが、ここに図示されていない横方向に突出する開口部縁を有するのがよい。
【００７２】
図５を参照して、どのように患者が好ましくは治療されるかを説明する。
【００７３】
第１に、単一のインプラント１または３つの示されているインプラント１を、在来の手段を使用して患者の顎骨に位置決めする。２つだけ、或いは３つよりも多いインプラント１を使用することも考えられる。
【００７４】
次いで、特にインプラント１と共にねじ込みにより、当接ポスト２を設置する。
【００７５】
次いで、円錐形キャップ４、４’を当接ポスト２上に配置する。
【００７６】
これに次いで、円錐形キャップ４、４’を正しい着座部内に移動させるように円錐形キャップ４、４’にパルスまたは力を印加する。
【００７７】
次いで、溶接ワイヤをいくつかの円錐形キャップ４’のピン１４に締結するのがよい。
【００７８】
しかしながら、特に図５には、義歯３が、特に重合化によって単一の円錐形キャップ４と直に接合されることが示されている。
【００７９】
義歯３は、歯３が、ねじやセメント用の注入開口部のような目に見える連結手段を見せないように、円錐形キャップ４に接着され、および／またはセメント付けされるのがよい。
【００８０】
いくつかの義歯３を配置するステップは、前記の溶接ワイヤの溶接後に生じるのがよい。
【００８１】
当業者はまた、英語の用語abutmentを使用して当接ポストに言及する。
【００８２】
図６は、種々に構成された円錐形キャップ４’、４ｅ，４ｂ，４ｃを介して、それぞれの円錐形キャップ４’、４ｅ，４ｂ，４ｃと当接ポスト２ａ-ｄとの間の連通割り出し要素によってそれぞれの円錐形キャップ４’、４ｅ，４ｂ，４ｃを種々に構成された当接ポスト２ａ-ｄと自由に組み合わせる可能性を示している。
【００８３】
図６の中間には、前記第１のねじり防止装置１２および前記第１の横方向力係止装置１０を有するランダムに選択された当接ポスト２ａ-ｄの上側部分が、例えば本願に示されているすべての当接ポストのために示されている。
【００８４】
それぞれの円錐形キャップ４’、４ｅ，４ｂ，４ｃとそれぞれの当接ポスト２ａ-ｄとの間には、従来技術の構造体では生じ得たような間隙Ｌがない。
【００８５】
円錐形キャップ４’、４ｅ，４ｂ，４ｃと当接ポスト２ａ-ｄとの間には軸線方法にストップ２３が形成されており、且つ間隙Ｌが形成されていない。
【００８６】
円錐形キャップ４’、４ｅ，４ｂ，４ｃは、その内側壁により軸線方向にストップ２３上に載置するようになる。
【００８７】
ストップ２３は、ここでは、先端部を備えた円錐体として、または、先端部として特に構成されている。
【００８８】
先端部または円錐体は、第１の横方向力係止装置１０の遠位面上に配置されており、そこから円錐形キャップ４’、４ｅ，４ｂ，４ｃの方向に突出している。
【００８９】
すべての図面には示されていないけれども、ストップ２３は、すべての当接ポスト２、２ａ-ｄ上に当然に配置されているのがよい。
【００９０】
同じことは、円錐形キャップの割り出し要素と連通し、これらの円錐形キャップの割り出し要素と相補的であるように構成されている、図２〜図４に示されている割り出し要素に当てはまる。
【００９１】
参照番号５−１３および１７−２０の付いた技術的特徴は、個別的にまたは組み合わせで割り出し要素として適している。
【００９２】
図７は、左上に、実験室キャップとしても示されている円錐形キャップ４ａを示している。実験室キャップは、歯科技術者が、クラウンまたはブリッジを製作しようとするときに、使用する。実験室キャップは、個別の歯の置換または複数の歯の置換のために使用されることができる。実験室キャップは、実験室キャップは、外側の保持手段を有さない。これによって、実験室作業が容易にされる。実験室キャップは、最終キャップまたは円筒形キャップのための場所ホルダとして役立つ。実験室キャップは、実験室でのみ使用される。
【００９３】
図７は、上中央に、個別の歯の置換のために、または複数の歯の置換のために仮のキャップとして使用される円錐形キャップ４ｂを示している。仮のキャップは、患者が６箇月まで使用することができる仮の、すなわち事前クラウンまたはブリッジを作るのに使用される。仮のキャップは、クラウンまたはブリッジを作るのに実際に使用することができる費用効果のある解決法である。仮のキャップは、仮のキャップの配置または取り外しをより容易にするスナップイン装置またはスナップイン機能を有する。
【００９４】
図７は、右上に、治癒キャップとして使用される円錐形キャップ４ｃを示している。治癒キャップは、仮のクラウンまたはブリッジが使用されないときに当接ポストのために保護を提供する。治癒キャップは、歯状構造によって間隙を閉じるために美的必要性がないときに使用される。患者は６箇月まで治癒キャップを使用することができる。
【００９５】
図７は、左下に、印象キャップまたは印刷キャップとしても指定される円錐形キャップ４ｄを示している。印象キャップは、個別の歯の置換、または複数の歯の置換のために使用されることができる。印象キャップは、印象を使用するモデルに当接ポストの位置を転写するのに使用される。
【００９６】
図７は、下中央に、溶接ワイヤキャップとしても指定される円錐形キャップ４’を示している。溶接ワイヤキャップは、チタンで作られており、個別の歯の置換に、または多数の歯の置換に適している。溶接ワイヤキャップは、円錐形保持手段に基づく耐久性で且つ仮の補綴構造を作るのに使用される。複数ユニットとしての溶接ワイヤキャップは、口内溶接のために使用されることができる。耐久性で且つ仮の補綴構造は、最終キャップまたは円錐形キャップを含む最終構造体によって置換されるように設けられる。
【００９７】
図７は、右下に、最終キャップとして指定される円錐形キャップ４ｅを示している。最終キャップは、個別の歯の置換に、または多数の歯の置換に適している。最終キャップは、クラウンまたはブリッジと共にセメント付けされ、構造体のための円錐形保持手段を含む。
【００９８】
図８は、種々の当接ポスト２ａ-ｄ、および、右に当接ポスト２３ａを示している。当接ポスト２ｂは、例えば特別な角度付け、すなわち角度付けされた上側部分を示している。
【００９９】
本願に示されているすべてのキャップ、円錐形キャップ、および、当接ポストは、本発明による本願に記載されている型式の構造体に使用されることができる。
【０１００】
図９は、本願に記載されている型式の当接ポストに、本願に記載されている型式の円錐形キャップを取り付けるための工具２４を示している。
【０１０１】
図１０は、当接ポストに円錐形キャップを取り付けるための工具２４であって、該工具は、この工具を保持するためのハンドル２５、および、円錐形キャップに力または刺激を印加するための装置２６を含む工具を示している。
【０１０２】
装置２６は、円錐形キャップおよび当接ポストが、耐引張的且つ／または捕獲的且つ／または噛むのに安全な仕方で互いに連結されるように、円錐形キャップと当接ポストとの摩擦係止を生成するために前記円錐形キャップに当接するための平らなまたは丸い衝撃面３９を含む。衝撃面３９は、円錐形キャップの方向に向かないように構成されている。
【０１０３】
衝撃面３９は、装置２６の衝撃要素２７に割り当てられており、衝撃要素２７は、少なくとも１つのばね３２、３３に初期的に張力を付与し、さらに移動させることによって該ばね３２、３３を再び解放するためにハウジング２９およびハンドル２５に対して移動可能である。
【０１０４】
衝撃要素２７は、円錐形キャップの方向に衝撃要素２７から突出し、衝撃要素２７の上側部分よりも小さい径を有する衝撃コネクタ３８を有する。刺激または力が衝撃コネクタ３８に集中される。
【０１０５】
衝撃要素２７の移動中に第１のばね３２の力に初期的に抗してハンマー２８を移動させるために、装置２６の長手方向軸線３１、および、ばね負荷されたハンマー２８および衝撃要素２７の移動方向に対して傾動可能な揺れ動き要素３０が設けられている。
【０１０６】
この目的のため、衝撃要素２７は、ハンドル２５の方向に押圧される。それによって、揺れ動き要素３０はまた、ハンドル２５の方向にハンマー２８を押圧し、それによって、第１のばね３２に張力を付与する。しかしながら、揺れ動き装置３０は、ハンドル２５の方向への衝撃要素２７の更なる移動中、長手方向軸線３１と平行に整合する。
【０１０７】
長手方向軸線３１または移動方向と平行に整合するときに、揺れ動き要素３０はハンマー２８の凹部４０に侵入する。それによって、第１のばね３２が衝撃面３９の方向にハンマー２８を移動させるように第１のばね３２が始動される。
【０１０８】
第１のばね３２は、ハンドル２５、特にハウジング２９がねじ込まれるハンドル２５の内側と、ハンマー２８との間に設けられている。
【０１０９】
揺れ動き要素３０のばね負荷のために第２のばね３３が設けられている。第１のばね３２は、波形ぱねとして構成されている。第２のばね３３は、螺旋ばねとして構成されている。
【０１１０】
ハウジング２９は、約４Ｎｍを使用して、ハンドル２５とねじ位置３４で手でしっかりとねじ込まれる。ハウジング２９は、ハンドル２５の方向に実質的に円筒形であるように構成されており、第１のばね３２が、ハンドル２５に当接して支持されるように頂部が開放している。
【０１１１】
ハウジング２９は、ベース３５を有し、ハンマー２８は、ベース３５上に配置されることができ、或いは、ハンマー２８は、第１のばね３２が解放されるときにベース３５に衝突する。したがって、ハンマー２８は、ハウジング２９に対して移動可能であり、入れ子式にハウジング２９内で案内される。
【０１１２】
ハンマー２８とは反対側のベース３５の側で、第２のばね３３は一端により支持される。第２のばね３３は揺れ動き要素３０上で他端により支持される。揺れ動き要素３０は、ベース３５に設けられた開口部３５を通してドームにより把持され、その結果、ドームは、ハンマー２８の凹部４０内に侵入することができる。揺れ動き要素３０は、衝撃要素２７の内側ベース３６に当接する。内側ベース３６は、凹穴または盲穴の下側領域である。
【０１１３】
図１０は、工具２４が、比較的長いハンドル２５と、端でこのハンドルから突出するポット状のヘッド、すなわち、装置２６とを有することを示している。ハンドル２５は、ヘッドの端から離れる方に向かう端の方向にテーパしている。中空部３７が、ハンドル２５に形成されている。
【符号の説明】
【０１１４】
１            インプラント
２            当接ポスト
３            歯
４、４’      円錐形キャップ
５            部分
６            外側面
７            内側面
８            凹部
９            開口部
１０          第１の横方向力係止装置
１１          第２の横方向力係止装置
１２          第１のねじり防止装置
１３          第２のねじり防止装置
１４          ピン
１６          雄ねじ
１７          截頭円錐形部分の上側ベース領域
１８          長い方の横方向面
１９          短い方の横方向面
２０          多面形または多角形プリズム
２１          外側面のコニシティの対称軸線
２２          内側面のコニシティの対称軸線
２３          ストップ
２３ａ        当接工具
２４          工具
２５          ハンドル
２６          装置
２７          衝撃要素
２８          ハンマー
２９          ハウジング
３０          揺れ動き要素
３１          長手方向軸線
３２          第１のばね
３３          第２のばね
３４          ねじ位置
３５          ２９のベース
３６          ２７の内側ベース
３７          中空部
３８          衝撃コネクタ
３９          衝撃面
４０          凹部
【図１】
2019535452.tif 000003
【図２】
2019535452.tif 000004
【図３】
2019535452.tif 000005
【図４】
2019535452.tif 000006
【図５】
2019535452.tif 000007
【図６】
2019535452.tif 000008
【図７】
2019535452.tif 000009
【図８】
2019535452.tif 000010
【図９】
2019535452.tif 000011
【図１０】
2019535452.tif 000012
【国際調査報告】
2019535452.tif 000013
2019535452.tif 000014
2019535452.tif 000015
2019535452.tif 000016
2019535452.tif 000017
2019535452.tif 000018